(57)【要約】      （修正有）【課題】側板同士を楔によって結合することにより、組立てあるいは解体、廃棄処理を容易にする木製植木箱を提供する。そして、庭や玄関先、ベランダあるいは室内で使用するにあたり、軽く、しかも、何回でも解体し、容易に元の形状に復元可能な木製植木箱を提供する。【解決手段】上方が開口し、底板３を囲むように複数の側板が立設され、一方の側板同士が対向するとともに、他方の側板同士が対向し、かつ、前記一方の側板と前記他方の側板とが直角に結合され、前記底板に複数の透水穴が穿設される木製植木箱１０であって、一方の側板に複数のホゾを備えるとともに、他方の側板に複数のホゾ穴を備え、かつ、前記ホゾ穴を貫通した前記ホゾの部位に楔穴が穿設されるとともに、この楔穴に楔４が嵌着され、かつ、前記他方の側板が対向する面の下部に底溝が刻設され、前記底板が前記底溝に挿着される木製植木箱である。【選択図】図１
0003116701.tif 000002
【実用新案登録請求の範囲】
【請求項１】
上方が開口し、底板を囲むように複数の側板が立設され、
一方の側板同士が対向するとともに、他方の側板同士が対向し、
かつ、前記一方の側板と前記他方の側板とが直角に結合され、
前記底板に複数の透水穴が穿設される木製植木箱であって、
一方の側板に複数のホゾを備えるとともに、
他方の側板に複数のホゾ穴を備え、
かつ、前記ホゾ穴を貫通した前記ホゾの部位に楔穴が穿設されるとともに、この楔穴に楔が嵌着され、
かつ、前記他方の側板が対向する面の下部に底溝が刻設され、
前記底板が前記底溝に挿着される、木製植木箱。
【考案の詳細な説明】
【技術分野】
【０００１】
この考案は、木製の植木箱に関する。詳しくは、木製によって高級感を醸し出すとともに、釘、ピン、リベット、クリップ、木ネジ、ボルト等の金属部材を使用することなく、楔を打ち込むことによって組み立て、あるいは、解体、廃棄処理を容易にした植木箱に関する。
【背景技術】
【０００２】
植木鉢あるいは植木箱は、その殆んどが素焼きあるいは釉薬を用いた土器、または陶器によるもので、近年ではプラスチック製のものが多く見られる。この理由は植木箱に黴や苔が生えるので、これらによる腐敗を防ぐ為である。プラスチック材料や無機質材料、金属材料等の採用が増加するに伴って、木製のものがインテリアから姿を消す傾向にある。これらの変化が住む人の心理状態に微妙に影響し、プラスチック材料や無機質材料に代わって木製の持つ自然の温もりが見直されてきた。
【０００３】
例えば蘭等の栽培に関し、プラスチックや無機質材料製の植木鉢、プランターをむき出しにして蘭の花を飾るのでは、折角の蘭の良さが生かされない。
【０００４】
一方、木製の植木箱もベランダ、店頭等に見られることもあるが、これらは釘、ピン、リベット、クリップ、木ネジ、Ｌ字金具、ボルト等の金属金具を使って組み立てられているので、産業廃棄物として処理しなければならない。そうでない場合は、廃棄する際に木と金属とに分別しなければならない。
【０００５】
また、高層マンションのベランダのような限られたスペースでは、使用しない植木鉢あるいは植木箱をそのままの状態で保管するには狭い。
【０００６】
ところで、木製の植木箱としては、先に次のような発明が提案されている。即ち、底板の周縁に沿って複数枚の側板を互いに側部同士を接合させて立てて並べ、側板同士を隙間無く接合さることによって、大きさや形状の異なる植木箱を低コストで容易に製作することができる。
【０００７】
【特許文献１】特開平１１−２２５５８２号公報
【考案の開示】
【考案が解決しようとする課題】
【０００８】
そこで、本考案の木製植木箱は、従来の抱える問題点を解決するためになされたもので、側板同士を楔によって結合することにより、木の自然の温もりと木の匂い、香りを生かしつつ、木製による高級感を醸し出すとともに、組立てあるいは解体、廃棄処理を容易にする木製植木箱を提供することを目的としている。そして、庭や玄関先、ベランダあるいは室内で使用するにあたり、軽く、しかも、何回でも解体し、容易に元の形状に復元可能な木製植木箱を提供することを目的としている。
【課題を解決するための手段】
【０００９】
本考案者等は、蘭等高価な花をプラスチック製のプランターに栽培するのでは、折角の花の豪華さが損なわれることに気付き、その為には木製によるものが好ましいとの着想へ辿り着いた。そして、木製の植木箱を試作したところ、趣のある高級感が醸し出された。本考案の木製植木箱はかかる知見を基に具現化したもので、請求項１の考案は、上方が開口し、底板を囲むように複数の側板が立設され、一方の側板同士が対向するとともに、他方の側板同士が対向し、かつ、前記一方の側板と前記他方の側板とが直角に結合され、前記底板に複数の透水穴が穿設される木製植木箱であって、一方の側板に複数のホゾを備えるとともに、他方の側板に複数のホゾ穴を備え、かつ、前記ホゾ穴を貫通した前記ホゾの部位に楔穴が穿設されるとともに、この楔穴に楔が嵌着され、かつ、前記他方の側板が対向する面の下部に底溝が刻設され、前記底板が前記底溝に挿着される木製植木箱である。
【考案の効果】
【００１０】
木製の植木箱なので、蘭、菊等の花を豪華に装い、かつ、高級感が醸し出される。また、楔を使用して側板同士を結合するので、素人でも容易に組み立てることができ、解体も容易である。不使用の場合は、楔を外して板状の部品に分解し、嵩張らない大きさにして収納可能である。材質によっては、檜や杉を使うことにより芳しい香りを放ち、単に花木を栽培するという目的だけでなく、本考案の木製植木箱はインテリアグッズとして緑化空間を豪華に演出する。
【考案を実施するための最良の形態】
【００１１】
本考案の実施の形態を、添付図面に示した本考案の実施例に基づいて以下に具体的に説明する。
【実施例】
【００１２】
本考案の実施例について、図１〜図５を参照しながら説明する。図１は、植木箱全体の斜視図である。図２は、上段から植木箱の側面図、平面図および正面図である。図３は、前後側板の斜視図である。図４は、左右側板の平面図である。図５は、楔の斜視図である。
【００１３】
図１に示すように、植木箱１０は略直方体状であり、有底で上方が開口している。底板３を囲むように一方の前後側板１、１同士および他方の左右側板２、２同士がそれぞれ対向しながら直立する。前後側板１、１と左右側板２、２とは四隅においてそれぞれ直角に交わり、これらの箇所が複数の楔４によって結合される。これらの詳細は図２の（ａ）の側面図、（ｂ）の平面図および（ｃ）の正面図に示してある。
【００１４】
ここで、図３に示すように一方の前後側板１には、左右に四箇所のホゾ１１、１１、１１、１１が突出して設けられ、かつ、これらのホゾのそれぞれの根元近傍に楔穴１２、１２、１２、１２が穿設される。一方、図４に示すように他方の左右側板２には、両端部近傍にそれぞれ上下方向に縦溝２１、２１および、下部には、縦溝２１と直角方向に底溝２２が刻設される。また、各縦溝２１の上下にホゾ穴２３、２３が穿設される。
【００１５】
そして、図２（ｂ）の全体平面図に示すように、底板３には複数の透水穴３１が穿設される。
【００１６】
図５には楔４を斜視図で示し、細長い棒状片である。太めの頭部４１から先端に向けて細く伸びる先端鋭角部４２を備える。図２（ａ）、図２（ｃ）に示すように、一方の前後側板１、１の各ホゾ１１、１１が他方の左右側板２、２を貫通し、その箇所に楔４を嵌着する。
【００１７】
以上の部品は全て木製であり、杉、檜、ヒバ、欅、桜、桐等が使用される。特に杉の場合、生木を使わないので干割れが無く、腐らず、また、加工が容易という特徴がある。そして、木目が美しいので、植木箱の生地を見せる箇所に用いるのがよい。また、檜は、耐久性、強度が大であり、湿度による影響を受け難く、防蟻性も高い。そして、表面仕上げがよく特有の光沢、香りがある。以上、植木箱の使用態様に合わせて材質を選択すればよい。
【００１８】
植木箱１０は以上のように構成され、図６〜図９を参照しながら以下に植木箱１０へと組み立てる手順について説明する。図６は、一部組立て途中の各部品の斜視図である。図７は、前後、左右側板を組立てる途中の斜視図である。図８は、前後側板に備えるホゾに楔を打込む状態の斜視図である。図９は、底板を挿入する状態の斜視図である。
【００１９】
図６に示すように、左上に直立している他方の左右側板２に一方の前後側板１、１を直交させ、ホゾ１１、１１、１１、１１を貫通したものである。次いで、手前の他方の左右側板２を矢印Ａの方向へ寄せながら前後側板１、１に嵌着する。次いで、底板３を矢印Ｂの方向へ挿着して植木箱１０の組み立てが完了する。以下に、各部品を結合する要領について詳細を説明する。
【００２０】
図７には、他方の左右側板２に一方の前後側板１、１のホゾ１１、１１、１１、１１を嵌着した後、もう片側の左右側板２を嵌着する前の状態を示す。ホゾ１１を嵌着するためには、先ず、各前後側板１に備えるホゾ１１、１１を左右側板２に備えるホゾ穴２３、２３に向けて貫通させる。ホゾ１１、１１、１１、１１が左右側板２を貫通し、これらの突き出たホゾの部位に楔穴１２、１２、１２、１２が現れる。
【００２１】
次いで、図８に示すように左右側板２から突き出たホゾ１１、１１、１１、１１の部位に備える楔穴に楔を打ち込む。楔の形状は、細長い棒状片であり、頭部４１から先細りで先端鋭角部４２を有する。そして、これらの楔穴に楔４、４、４、４を嵌着する。そのためには、ホゾ１１に備える楔穴１２に楔４の先端鋭角部４２を覗かせ、次いで、頭部４１を木ハンマーで軽く叩きながら挿入し、楔４を楔穴１２に嵌着する。一枚の左右側板当たり、楔４を四箇所嵌着することにより、左右側板２、２と前後側板１、１とが直角に結合される。各側板は、必ずしも図示のように底板に対し直立して立設するものではなく、底から上方開口に向かって広がるような擂鉢状に立設してもよい。
【００２２】
最後に、図９に示すように、底板３を挿入する。この際、左右側板２、２の対向する面の下方に刻設された底溝２２、２２に、底板３の幅方向端部３２、３２を覗かせ、底板３を両側の底溝に沿って挿着する。底溝２２と底板３との間には多少のガタを持たせ、簡単に取り外し可能とする。植木箱の大きさとしては、最大で長さ1メートル×幅５０センチメートル程度であり、大きくなるに従い板厚を大にしたり、樫等を使用したりして強度を補う。
【００２３】
以上のように組み立てられ、次に作用について説明する。
【００２４】
木製植木箱に直接土を入れて草花を栽培することができる。あるいは、蘭等を栽培したプラスチック製の鉢や菊等の切花を入れた花瓶をむき出しにすることなく、木製植木箱の中に鉢、花瓶が隠れるようにして並べる。このような使い方によって、植木箱の自然の木地が表に出るので、蘭、菊等の花が豪華に映える。箱の中の花と箱の木地とが調和して高級感を醸し出すインテリアグッズとなる。即ち、木製植木箱に蘭等の花を組み合わせることによって、店頭、あるいは、インテリア装飾品として、緑化空間を豪華に演出する道具となる。また、楔を使用して部品同士を結合するので、素人でも容易に組み立てることができ、何度でも解体あるいは復元可能である。例えば、蘭の季節が終わり菊を待つ期間は、植木箱の楔を外して各部品に分解してそれぞれを板状にし、嵩張らないで状態で収納することができる。また、底板も取り外し可能なので使用しないとき、外して収納可能である。このようにして、１０年でも木製植木箱を長期に亘って使用することができる。
【００２５】
木材の材質として、杉あるいは檜を選択することにより、木製植木箱は、単に花木を飾る器という機能だけでなく、芳しい匂い、香りを放ちながら緑化空間を彩るインテリアグッズとしての機能を有する。
【００２６】
ところで、蘭の花の栽培に関しては、一週間に２回程度噴霧器で水をかける程度で十分である。従って、蘭の栽培の場合はできるだけ控えめに水を管理するので、水により腐れ易い木製の植木箱は適している。底板が長期間の使用により腐食した場合は、この部分のみ引き抜いて交換すればよい。
【産業上の利用可能性】
【００２７】
なお、本考案の木製植木箱の使途は、ガーデニングやインテリアとしての植木箱に限るものではなく、木の持つ温もりを生かして箱の底板に毛布を敷いて犬猫等ペットの寝床としても使用可能である。また、底板にビニールシートを敷いて砂を入れ、ペットの便器として使用する等各種用途へ拡大できる。
【図面の簡単な説明】
【００２８】
【図１】本考案の実施例に係る植木箱全体の斜視図である。
【図２】同上、側面図、平面図および正面図である。
【図３】同上、前後側板の斜視図である。
【図４】同上、左右側板の平面図である。
【図５】同上、楔の斜視図である。
【図６】同上、一部組立て途中の各部品の斜視図である。
【図７】同上、前後左右側板を組立てる途中の斜視図である。
【図８】同上、前後側板に備えるホゾに楔を打込む状態の斜視図である。
【図９】同上、底板を挿入する状態の斜視図である。
【符号の説明】
【００２９】
１  前後側板
１１  ホゾ
１２  楔穴
２  左右側板
２１  縦溝
２２  底溝
２３  ホゾ穴
３  底板
３１  透水穴
３２  端部
４  楔
４１  頭部
４２  先端鋭角部
１０  植木箱
Ａ  矢印
Ｂ  矢印
Ｃ  矢印
【図１】
0003116701.tif 000003
【図２】
0003116701.tif 000004
【図３】
0003116701.tif 000005
【図４】
0003116701.tif 000006
【図５】
0003116701.tif 000007
【図６】
0003116701.tif 000008
【図７】
0003116701.tif 000009
【図８】
0003116701.tif 000010
【図９】
0003116701.tif 000011